(57)【要約】【課題】インターネット電話の使用者がインターネット電話を使用するとき、必要に応じてミニスピーカーでインターネット電話の着信音声を受信するか、音響設備で直接着信音声を聞くかを選択することができる、音響設備用メスコネクタを備えたインターネット電話の提供。  【解決手段】本考案の音響設備用メスコネクタを備えたインターネット電話は、ミニスピーカー、マイクロホン、USBコネクタ、USBオーディオチップ、音響設備用コネクタ、コード及び切換スイッチを含み、そのうち、音響設備用コネクタはメスコネクタであり外部音響設備を接続でき、且つ、切換スイッチによりインターネット電話の使用者がミニスピーカーでインターネット電話の着信音声を受信するか、音響設備で直接インターネット電話の着信音声を再生するかを選択できる。【選択図】図１
0003125407.tif 000002
【実用新案登録請求の範囲】
【請求項１】
マイクロホン、ミニスピーカー、USBコネクタ、USBオーディオチップ、音響設備用コネクタ、切換スイッチを含み、
そのうち、前記USBオーディオチップは前記マイクロホンと前記USBコネクタ電気的に接続され、アナログ情報をデジタル情報に、またデジタル情報をアナログ情報に変換することができ、
前記音響設備用コネクタはメスコネクタであり、外部の音響設備を接続することができ、
前記切換スイッチは、
前記ミニスピーカーがUSBコネクタと電気的に接続されるが、音響設備用コネクタとは電気的に接続されない第一の状態と、
前記USBコネクタが音響設備用コネクタとは電気的に接続されるが、ミニスピーカーとは電気的に接続されない第二の状態の２つの状態を形成することができる、
音響設備用メスコネクタを備えたインターネット電話。
【請求項２】
前記音響設備用メスコネクタを備えたインターネット電話が耳掛け式である、
請求項１に記載の音響設備用メスコネクタを備えたインターネット電話。
【請求項３】
前記音響設備用メスコネクタを備えたインターネット電話が手持ち式である、
請求項１に記載の音響設備用メスコネクタを備えたインターネット電話。
【請求項４】
切換スイッチ装置を備えたミニスピーカーであって、主にミニスピーカー、ミニスピーカーコネクタ、音響設備用コネクタ、切換スイッチを含み、
そのうち、前記音響設備用コネクタがメスコネクタであり、外部の音響設備を接続することができ、
前記切換スイッチが、
ミニスピーカーがUSBコネクタとは電気的に接続されるが、音響設備用コネクタとは電気的に接続されない第一の状態と、
USBコネクタが音響設備用コネクタとは電気的に接続されるが、ミニスピーカーとは電気的に接続されない第二の状態の２つの状態を形成することができる、
切換スイッチ装置を備えたミニスピーカー。
【請求項５】
前記ミニスピーカーが耳掛け式である、
請求項４に記載の切換スイッチ装置を備えたミニスピーカー。
【請求項６】
前記ミニスピーカーが手持ち式である、
請求項４に記載の切換スイッチ装置を備えたミニスピーカー。
【考案の詳細な説明】
【技術分野】
【０００１】
本考案はインターネット電話に関し、詳細には、パーソナルコンピュータに接続するインターネット電話に関する。
【背景技術】
【０００２】
インターネットの発達で国際化が加速し、インターネットからはすでにインターネット電話が発展して利用されており、例えばVOIP(Voice over Internet Protocol)やSkype等のインターネット電話装置が日増しに頻繁に使用されるようになってきている。インターネット電話と一般電話の通話料金を比較すると、インターネット電話の通話料金は一般電話の通話料金よりはるかに安く、中には無料のインターネット電話を提供し使用者に無料で利用できるようにしている業者もいる。近年来インターネット電話はインターネット電話の品質の向上に伴って製品または技術において市場も成熟しつつあり、またこのためインターネット電話の使用は将来的に重要な傾向となっている。
【考案の開示】
【考案が解決しようとする課題】
【０００３】
現在見受けられる従来のインターネット電話の構成は、ミニスピーカー、マイクロホン、ミニスピーカーコネクタ及びマイクロホンコネクタを含み、使用者はインターネット電話を使用するとき、ミニスピーカーコネクタ及びマイクロホンコネクタをそれぞれコンピュータのサウンドカードに接続する必要があり、インターネット電話に着信表示があると、ミニスピーカーでインターネット電話の相手方の着信音声を聞くことができるが、使用者が音楽を聴いている状態にある場合、使用者は音響設備用コネクタとコンピュータのサウンドカードを接続する必要があるため、同時にミニスピーカーコネクタをコンピュータのサウンドカードに接続することができず、そのためコンピュータにインターネット電話の着信が表示されると、使用者は音響設備用コネクタを抜きミニスピーカーコネクタを挿入して初めて相手方と円滑に通話を行うことができる。このため、ミニスピーカーコネクタ及び音響設備用コネクタはインターネット電話を受信するために絶え間なく抜き差しを繰り返さなければならず、従来のインターネット電話の使用に手間がかかるだけでなく、ミニスピーカーコネクタ及び音響設備用コネクタは長期的に抜き差しを繰り返すと破損してしまうことがあり、インターネット電話の使用者にとって大きな不便さとインターネット電話の損耗を招いてしまう。
【０００４】
本考案の主な目的は、インターネット電話の使用者がインターネット電話を使用するとき、必要に応じてミニスピーカーでインターネット電話の着信音声を受信するか、音響設備で直接着信音声を聞くかを選択することができる、音響設備用メスコネクタを備えたインターネット電話を提供することにある。
【課題を解決するための手段】
【０００５】
上述した課題を解決し、目的を達成するために、本考案の音響設備用メスコネクタを備えたインターネット電話は、ミニスピーカー、マイクロホン、USBコネクタ、USB オーディオチップ、音響設備用コネクタ、コード及び切換スイッチを含み、そのうち、前記マイクロホンとマイクロホンコネクタが電気的に接続され、USBコネクタが外部のコンピュータに接続されると共に、音響設備用コネクタはメスコネクタであり、外部音響設備が接続され、且つ、前記切換スイッチによりインターネット電話の使用者に２つの異なる状態で着信する電話の音声を受信することを可能にし、そのうち、第一の状態は切換スイッチによりミニスピーカーがUSBコネクタと電気的に接続され、且つ、USBオーディオチップを経由してデジタル情報がアナログ情報に変換され、このときはミニスピーカーを利用してインターネット電話の着信音声を受信し、個人がインターネット電話を使用する際のプライバシーを満たすものであり、第二の状態は、USBコネクタが音響設備用コネクタと電気的に接続され、このときはインターネット電話の着信音声が音響設備から直接再生される。このため、使用者は切換スイッチを介して個人の必要に応じ適切な状態を選択してインターネット電話の着信音声を受信することができる。
【０００６】
本考案の構造は新規的であり、産業に利用価値を提供することができ、且つ、確実に増進効果を備えているため、法に基づき実用新案登録を出願するものである。
【考案の効果】
【０００７】
この考案によれば、使用者は切換スイッチを介して個人の必要に応じ適切な状態を選択してインターネット電話の着信音声を受信することができる。
【考案を実施するための最良の形態】
【０００８】
以下に添付図面を参照して、この考案に係る各実施の形態を詳細に説明する。ただし、各実施の形態によって本考案が限定されるものではない。
【０００９】
〔実施の形態１〕
まず、本考案に係る実施の形態１について説明する。図１及び図２に示すように、本考案の実施例１の音響設備用メスコネクタを備えたインターネット電話１０は耳掛け式であり、ミニスピーカー１１、マイクロホン１２、USB オーディオチップ２０(USB Audio Chip)、USBコネクタ３０、音響設備用コネクタ４０、コード６０及び切換スイッチ８０を含む。そのうち、マイクロホン１２とUSBコネクタ３０が電気的に接続され、USBコネクタ３０は外部のコンピュータ９０に接続することができ、音響設備用コネクタ４０はメスコネクタであり、外部の音響設備５０を接続することができ、さらにUSBコネクタ３０及び音響設備用コネクタ４０にそれぞれ接続された２本のコード６０を介して有線方式で切換スイッチ８０に接続され、USB オーディオチップ２０はマイクロホン１２が出力するアナログ情報をデジタル情報に変換してコンピュータ９０に入力することができ、またコンピュータ９０が出力するデジタル情報をアナログ情報に変換してミニスピーカー１１または外部の音響設備５０に入力することができる。
【００１０】
切換スイッチ８０はインターネット電話１０に２つの状態を形成する。第一の状態はコンピュータにインターネット電話の着信が表示されたとき、切換スイッチ８０によりミニスピーカー１１がUSBコネクタ３０とは電気的に接続されるが、USBコネクタ３０が音響設備用コネクタ４０とは電気的に接続されず、インターネット電話１０の音声がミニスピーカー１１に伝送され、ミニスピーカー１１で電話の音声を受信し、個人が電話を使用するときのプライバシーを満足させる。第二の状態は切換スイッチ８０によりUSBコネクタ３０が音響設備用コネクタ４０とは電気的に接続されるが、ミニスピーカー１１とは接続されず、且つ、音響設備用コネクタ４０は外部の音響設備５０に接続できるため、音響設備５０から相手方の着信の音声を再生することができる。このため、使用者は切換スイッチ８０の設計により個人の必要に応じて適切なインターネット電話音声の受信方式を選択することができる。注意が必要なのは、本実施例の音響設備用メスコネクタを備えたインターネット電話１０はマイクロホン１２を含まなくともよく、切換スイッチ８０装置を備えたミニスピーカー１１として使用することもできる点である。
【００１１】
〔実施の形態２〕
次に、本考案に係る実施の形態２について説明する。本考案の実施例２は図２及び図３に示すように、本考案の実施例２と実施例１の最大の違いは、インターネット電話１０aが手に持つタイプであり、このためミニスピーカー１１及びマイクロホン１２は手持ち式インターネット電話１０a内に設置され、切換スイッチ８０もインターネット電話１０a上に設置することができるという点である。
【００１２】
上述のように、本考案はその目的、手段及び効果のどれをとっても従来技術とは異なる特徴を示しており、ご理解の上一日も早い特許の認可をいただくことにより社会で役立つことができるよう願うものである。以上で述べた実施例は本考案の説明のため例を挙げたのみであり、本考案が主張する権利範囲は請求の範囲で述べる内容に準拠し、上述の実施例により制限されない点に注意が必要である。
【図面の簡単な説明】
【００１３】
【図１】本考案の実施の形態１の音響設備用メスコネクタを備えたインターネット電話の立体斜視図である。
【図２】本考案のシステムダイアグラムである。
【図３】本考案の実施の形態２の音響設備用メスコネクタを備えたインターネット電話の立体斜視図である。
【符号の説明】
【００１４】
１０、１０a  インターネット電話
１１  ミニスピーカー
１２  マイクロホン
２０  USBオーディオチップ
３０  USBコネクタ
４０  音響設備用コネクタ
５０  音響設備
６０  コード
８０  切換スイッチ
９０  コンピュータ
【図１】
0003125407.tif 000003
【図２】
0003125407.tif 000004
【図３】
0003125407.tif 000005